(57)【要約】【課題】意図しない作動機構の動作によって一定の開角度で換気部材の開放状態が保持されるという誤動作を防止し得る温室用換気装置を提供する。【解決手段】本発明の温室用換気装置は、作動機構２の本体部２ｂ内に設けられ、本体部２ｂ内において、本体部２ｂと独立して昇降動作可能な可動部材９と、可動部材９と本体部２ｂとの間に介在し、可動部材９を下降方向に付勢する押しばね１１と、係止部材６の前端部に設けられるガイドピン７と、可動部材９に形成され、ガイドピン７が移動可能に挿通される通路１０とを有し、通路１０が、ガイドピン７がはまり込むことにより係止部材６の一方向への回転を阻止し得る第１領域１０ａと、第１領域１０ａと連通し、第１領域１０ａから脱出したガイドピン７を回動させ得る第２領域１０ｂとを有し、さらに、可動部材９に連結され、引っ張ることにより、可動部材９を上昇方向へ移動させ得る第１線状部材１２を有して構成される。【選択図】図１
2008118893.tif 000002
【特許請求の範囲】
【請求項１】
ガイド部材に沿って移動する本体部を有し、前記本体部が上昇方向へ移動するときに換気部材を開動作させ、前記本体部が下降方向へ移動するときに前記換気部材を閉動作させる作動機構と、
前記本体部に設けた支持軸に回転可能に支持される係止部材と、
一方向へ回転した前記係止部材を回転前の状態に復帰させる戻しばねと、
前記ガイド部材に設けられるロックピンとを有し、
前記係止部材の後端部が前記ロックピンに当接した状態で前記本体部を意図的に上昇方向へ移動させることにより前記係止部材を一方向へ回転させ、前記係止部材の後端部が前記ロックピンを乗り越えると、前記戻しばねの作用により、前記係止部材が回転前の状態に復帰して、前記係止部材の後端部が前記ロックピンに係合し、前記本体部の下降方向への移動を阻止し得る温室用換気装置であって、
前記本体部内に設けられ、前記本体部内において、前記本体部と独立して昇降動作可能な可動部材と、
前記可動部材と前記本体部との間に介在し、前記可動部材を下降方向に付勢する押しばねと、
前記係止部材の前端部に設けられるガイドピンと、
前記可動部材に形成され、前記ガイドピンが移動可能に挿通される通路とを有し、
前記通路が、前記ガイドピンがはまり込むことにより前記係止部材の一方向への回転を阻止し得る第１領域と、前記第１領域と連通し、前記第１領域から脱出した前記ガイドピンを回動させ得る第２領域とを有し、
さらに、前記可動部材に連結され、引っ張ることにより、前記可動部材を上昇方向へ移動させ得る第１線状部材を有することを特徴とする温室用換気装置。
【請求項２】
前記ガイド部材に設けられる長孔と、
前記長孔内に移動可能に挿通される可動ピンと、
前記可動ピンを温度に対応して移動させ得る駆動部材とを有し、
前記係止部材の後端部と前記可動ピンとが係合状態にあるときに、前記本体部を前記駆動部材の駆動力により上昇方向へ移動させ得ることを特徴とする請求項１記載の温室用換気装置。
【請求項３】
前記可動部材に、前記換気部材の自由端に設けた係止部に取り外し可能に結合し得る結合部が設けられていることを特徴とする請求項１記載の温室用換気装置。
【請求項４】
前記通路が、前記第２領域と連通し、前記ガイドピンがはまり込むことにより一方向へ回転した前記係止部材の逆方向への回転を阻止し、前記係止部材の回動を停止させ得る第３領域を有することを特徴とする請求項１記載の温室用換気装置。
【請求項５】
前記係止部材に連結され、引っ張ることにより、前記係止部材を一方向へ回転させ、前記第１領域から脱出した前記ガイドピンを前記第２領域内で回動させ得る第２線状部材を有することを特徴とする請求項１記載の温室用換気装置。
【請求項６】
前記可動部材を上昇方向へ移動させるために必要な引っ張り力を減少させ得るように、前記第１線状部材が掛けられる滑車が設けられていることを特徴とする請求項１記載の温室用換気装置。
【発明の詳細な説明】
【技術分野】
【０００１】
本発明は、温室に用いられる換気装置に関し、より詳細には、一定の開角度で換気部材の開放状態を保持し得る温室用換気装置に関するものである。
【背景技術】
【０００２】
下記特許文献１には、換気部材を人力により開閉させる手動機構と、駆動部材の駆動力により開閉させる自動機構とを有するとともに、両機構を切換可能にする切換機構を備えた温室用換気装置が開示されている。かかる温室用換気装置は、また、手動機構により換気部材を開閉させる際に、任意の角度で換気部材の開放状態を保持し得る保持機構を有する。
【０００３】
しかしながら、かかる保持機構は、人力で引っ張ることにより換気部材を開動作させ得るワイヤと、ワイヤを引っ掛けることができる引っ掛け部とからなり、引っ掛け部にワイヤを引っ掛けることで、任意の角度で換気部材の開放状態を保持し得るものである。したがって、かかる保持機構によれば、ワイヤを操作する度に換気部材の開角度にばらつきが生じる。
【０００４】
そこで、一定の開角度で換気部材の開放状態を保持し得る温室用換気装置として、図１５に示した構造を有するものが考え得る。すなわち、ガイド部材１００に沿って移動する本体部１０１を有し、本体部１０１が上昇方向へ移動するときに換気部材１０２を開動作させ、本体部１０１が下降方向へ移動するときに換気部材１０２を閉動作させる作動機構１０３と、本体部１０１に設けた支持軸１０４に回転可能に支持される係止部材１０５と、一方向（図１５において、時計回り方向）へ回転した係止部材１０５を回転前の状態に復帰させる戻しばね１０６と、ガイド部材１００に設けられるロックピン１０７とを有し、係止部材１０５の後端部がロックピン１０７に当接した状態で本体部１０１を意図的に上昇方向へ移動させることにより係止部材１０５を一方向（時計回り方向）へ回転させ、係止部材１０５の後端部がロックピン１０７を乗り越えると、戻しばね１０６の作用により、係止部材１０５が回転前の状態に復帰して、係止部材１０５の後端部がロックピン１０７に係合し、本体部１０１の下降方向への移動を阻止し得る温室用換気装置。
【０００５】
かかる温室用換気装置によれば、係止部材１０５の後端部とロックピン１０７とが係合状態となったときに換気部材１０２の開放状態が保持されるため、一定の開角度で換気部材１０２の開放状態を保持し得る。
【０００６】
しかしながら、かかる温室用換気装置では、例えば、換気部材１０２が突風を受けることにより、意図しない開動作をするときにも、本体部１０１が上昇方向へ移動し、係止部材１０５の後端部がロックピン１０７を乗り越えて、係止部材１０５の後端部とロックピン１０７とが係合状態となるため、この場合にも、一定の開角度で換気部材１０２の開放状態が保持されるという誤動作が生じ得る。
【０００７】
【特許文献１】特開２００３−３３３９３８号公報
【発明の開示】
【発明が解決しようとする課題】
【０００８】
本発明が解決しようとする課題は、意図しない作動機構の動作によって一定の開角度で換気部材の開放状態が保持されるという誤動作を防止し得る温室用換気装置を提供することである。
【課題を解決するための手段】
【０００９】
本発明は、上記課題を解決するため、以下の温室用換気装置を提供する。
ガイド部材に沿って移動する本体部を有し、前記本体部が上昇方向へ移動するときに換気部材を開動作させ、前記本体部が下降方向へ移動するときに前記換気部材を閉動作させる作動機構と、
前記本体部に設けた支持軸に回転可能に支持される係止部材と、
一方向へ回転した前記係止部材を回転前の状態に復帰させる戻しばねと、
前記ガイド部材に設けられるロックピンとを有し、
前記係止部材の後端部が前記ロックピンに当接した状態で前記本体部を意図的に上昇方向へ移動させることにより前記係止部材を一方向へ回転させ、前記係止部材の後端部が前記ロックピンを乗り越えると、前記戻しばねの作用により、前記係止部材が回転前の状態に復帰して、前記係止部材の後端部が前記ロックピンに係合し、前記本体部の下降方向への移動を阻止し得る温室用換気装置であって、
前記本体部内に設けられ、前記本体部内において、前記本体部と独立して昇降動作可能な可動部材と、
前記可動部材と前記本体部との間に介在し、前記可動部材を下降方向に付勢する押しばねと、
前記係止部材の前端部に設けられるガイドピンと、
前記可動部材に形成され、前記ガイドピンが移動可能に挿通される通路とを有し、
前記通路が、前記ガイドピンがはまり込むことにより前記係止部材の一方向への回転を阻止し得る第１領域と、前記第１領域と連通し、前記第１領域から脱出した前記ガイドピンを回動させ得る第２領域とを有し、
さらに、前記可動部材に連結され、引っ張ることにより、前記可動部材を上昇方向へ移動させ得る第１線状部材を有することを特徴とする温室用換気装置。
【発明の効果】
【００１０】
本発明の温室用換気装置によれば、意図しない作動機構の動作によって、係止部材の後端部がロックピンに当接した状態で本体部が上昇方向へ移動しようとしても、押しばねの付勢力により可動部材の上昇方向への移動が抑制されるとともに、可動部材に形成された通路の第１領域に係止部材の前端部に設けられたガイドピンがはまり込んでいるため、係止部材の一方向への回転が阻止される。その結果、係止部材の後端部がロックピンを乗り越えられず、係止部材の後端部がロックピンに係合できない。したがって、意図しない作動機構の動作によって一定の開角度で換気部材の開放状態が保持されるという誤動作を防止することが可能になる。
一方、意図的に一定の開角度で換気部材の開放状態を保持させるときには、第１線状部材を引っ張り、可動部材を上昇方向へ移動させ、ガイドピンを通路の第１領域から脱出させる。この状態で、係止部材の後端部がロックピンに当接したならば、可動部材をさらに上昇方向へ移動させて本体部に当接させ、この状態で、可動部材をさらに上昇方向へ移動させることにより、本体部を上昇方向へ移動させる。これにより、係止部材が一方向へ回転するとともに、ガイドピンが通路の第２領域内で係止部材の回転に伴って回動するため、係止部材の後端部がロックピンを乗り越えることが可能になる。係止部材の後端部がロックピンを乗り越えた後は、戻しばねの作用により、係止部材が回転前の状態に復帰して、係止部材の後端部がロックピンに係合する。その結果、一定の開角度で換気部材の開放状態が保持される。
【発明を実施するための最良の形態】
【００１１】
以下、本発明の実施の形態を図面に示した実施例に従って説明する。
【実施例】
【００１２】
図１は、本発明の一実施例に係る温室用換気装置を示す図である。この図に示したように、本実施例に係る温室用換気装置は、換気部材１、作動機構２、ロックピン３、長孔４、可動ピン５、係止部材６、ガイドピン７、戻しばね８、可動部材９、通路１０、押しばね１１、第１線状部材１２、滑車１３、駆動部材１４及び第２線状部材１５を有して構成される。
【００１３】
換気部材１は、基端部１ａを中心として自由端１ｂ側が回転することにより開閉する窓からなる。換気部材１としては、温室の屋根、妻面又は側面のいずれに取り付けられる窓であってもよい。換気部材１の自由端１ｂには、内側に突出する係止部１ｃが設けられている。
【００１４】
作動機構２は、ガイド部材２ａ、本体部２ｂ及びリンク機構２ｃを有して構成される。ガイド部材２ａは、本体部２ｂを支持するガイドレール２ｄを有する。ガイド部材２ａには、ロックピン３が設けられる。ガイド部材２ａには、また、長孔４が形成され、長孔４には、可動ピン５が移動可能に設けられる。本体部２ｂは、ガイドレール２ｄ上を走行可能に設けられる。リンク機構２ｃは、換気部材１と本体部２ｂとの間に介在して、本体部２ｂがガイド部材２ａに沿って上昇方向へ移動したときは、換気部材１を開動作させ、本体部２ｂがガイド部材２ａに沿って下降方向へ移動したときには、換気部材１を閉動作させる働きをするものであり、複数のアーム２ｇ〜２ｊが組み合わされて構成される。
【００１５】
図２は、本体部２ｂの内部構造を示す図である。この図に示したように、係止部材６は、板状であって、本体部２ｂに設けられた支持軸２ｅに支持されている。係止部材６は、支持軸２ｅを中心として前端部及び後端部が回転し得る。係止部材６の前端部には、ガイドピン７が設けられている。係止部材６の後端部は、常態において、本体部２ｂの外側に突出している。また、係止部材６の前端部が常態位置から逆方向（図２において、反時計回り方向）へ回転することを防止するため、係止部材６の前端部の下方にストッパ２ｆが設けられている。
【００１６】
戻しばね８は、係止部材６と本体部２ｂとの間に介在して、一方向（図２において、時計回り方向）へ回転した係止部材６を回転前の状態に復帰させる働きをするものである。戻しばね８としては、引っ張りコイルばねなどを用いることができる。図１及び図２には、常態位置に存し、一方向へ回転する前の係止部材６が示されている。
【００１７】
可動部材９は、本体部２ｂ内において、本体部２ｂ内に設けられたガイドバー２ｋ上を走行可能に設けられる。可動部材９は、本体部２ｂ内において、本体部２ｂと独立して昇降動作可能である。可動部材９には、係止部材６の前端部に設けたガイドピン７が移動可能に挿通される通路１０が形成される。通路１０は、図２及び図３に示したように、第１乃至第３領域１０ａ〜１０ｃを有する大略Ｊ字状に形成される。第１領域１０ａは、ガイドピン７がはまり込むことにより係止部材６の一方向への回転を阻止する働きをするものである。第２領域１０ｂは、第１領域１０ａと連通し、第１領域１０ａから脱出したガイドピン７を係止部材６の回転に伴って回動させ得る空間を有する。第３領域１０ｃは、第２領域１０ｂと連通し、ガイドピン７がはまり込むことにより、一方向へ回転した係止部材６の逆方向への回転を阻止し、係止部材６の回動を停止させる働きをするものである。可動部材９には、また、図２示したように、換気部材１に設けた係止部１ｃに取り外し可能に結合し得る結合部９ａが設けられている。
【００１８】
押しばね１１は、図２に示したように、可動部材９と本体部２ｂとの間に介在するように設けられる。押しばね１１は、可動部材９を下降方向に付勢している。押しばね１１としては、圧縮コイルばねなどを用いることができる。
【００１９】
第１線状部材１２は、図１及び図３に示したように、一端が可動部材９に連結され、他端が自由端となっている。第１線状部材１２は、他端側を把持して、それを引っ張ることにより、可動部材９を上昇方向へ移動させる働きをするものである。本実施例に係る温室用換気装置は、図１に示したように、第１線状部材１２が掛けられる複数の滑車１３を有して構成される。各滑車１３は、可動部材９を上昇方向へ移動させるために必要な第１線状部材１２を引っ張る力を減少させる働きをする。
【００２０】
駆動部材１４は、本体部２ｂを上昇方向へ移動させる駆動力を発生するものである。駆動部材１４としては、図１に示したように、温度に対応して体積が変化する駆動材料が充填されるシリンダ１４ａと、シリンダ１４ａ内において、駆動材料の体積変化によって動作するピストン（図示せず）と、ピストンに連結され、シリンダ１４ａの外に突出するピストンロッド１４ｂと、駆動材料が温度の低下により収縮したときに、ピストンロッド１４ｂをシリンダ１４ａ内に収容する方向へ付勢する弾性部材１４ｃとを有して構成されるアクチュエータを用いることが好ましい。駆動部材１４のピストンロッド１４ｂの先端側には、可動ピン５が配置され、温度が上昇することによって駆動材料が膨張したときには、ピストンロッド１４ｂがシリンダ１４ａから伸びる。これにより、ピストンロッド１４ｂが可動ピン５に当接し、可動ピン５がピストンロッド１４ｂに押圧されることにより長孔４に沿って上昇方向へ移動するようになっている。一方、温度が低下することによって駆動材料が収縮したときには、弾性部材１４ｃの作用により、ピストンロッド１４ｂがシリンダ１４ａ内に収容されていき、また、可動ピン５が長孔４に沿って下降方向へ移動するようになっている。
【００２１】
第２線状部材１５は、図１及び図３に示したように、一端が係止部材６に連結され、他端が自由端となっている。第２線状部材１５は、他端側を把持して、それを引っ張ることにより、係止部材６を一方向（図１において、時計回り方向）へ回転させ、通路１０の第１領域１０ａから脱出したガイドピン７を第２領域１０ｂ内で回動させる働きをする。
【００２２】
上記のように構成される温室用換気装置は、作動機構２が換気部材１の窓枠又は温室の骨組み材に固定され、使用される。
【００２３】
図４は、自動運転時において、換気部材１が全閉した状態を示す。このとき、係止部材６の後端部は可動ピン５に係合している。また、係止部材６の前端部側がストッパ２ｆに当接しているため、係止部材６が常態位置から逆方向へ回転せず、係止部材６の前端部に設けたガイドピン７が可動部材９に形成された通路１０の第１領域１０ａにはまり込んだ状態で維持される。
【００２４】
この状態で、温室内温度が上昇すると、駆動部材１４のシリンダ１４ａ内で駆動材料が膨張し、ピストンを押し上げることにより、ピストンロッド１４ｂがシリンダ１４ａの外へ伸長し、それに従って、可動ピン５が長孔４に沿って上昇方向へ移動する（図５参照）。これにより、可動ピン５に係合する係止部材６が押し上げられるとともに、支持軸２ｅを介して係止部材６に連結された本体部２ｂが上昇方向へ移動する（図５参照）。本体部２ｂに連結されたリンク機構２ｃは、本体部２ｂが上昇方向へ移動することにより換気部材１を開動作させるように構成されるため、本体部２ｂが上昇方向へ移動することにより、換気部材１が開放される（図５参照）。さらに温度が上昇し、シリンダ１４ａ内の駆動材料が膨張すると、図６に示したように、ピストンロッド１４ｂがさらに伸長し、可動ピン５が長孔４に沿ってさらに上昇方向へ移動することによって、可動ピン５に係合する係止部材６がさらに押し上げられるとともに、本体部２ｂがさらに上昇方向へ移動する。これにより、換気部材１は、さらに開角度が増して、自動運転時における全開状態になる。
【００２５】
一方、温度が低下し、シリンダ１４ａ内の駆動材料が収縮すると、弾性部材１４ｃの作用によりピストンロッド１４ｂがシリンダ１４ａ内に収容される方向に移動して縮む。これにより、可動ピン５が長孔４に沿って下降方向へ移動する。このとき、本体部２ｂは、可動ピン５が下降方向へ移動するに従って、下降動作する。リンク機構２ｃは、本体部２ｂが下降方向へ移動することにより換気部材１を閉動作させるように構成されるため、本体部２ｂが下降方向へ移動するに従って、換気部材１が閉鎖していく。
【００２６】
本実施例に係る温室用換気装置は、ガイド部材２ａに設けられる長孔４と、長孔４内に移動可能に挿通される可動ピン５と、可動ピン５を温度に対応して移動させ得る駆動部材１４とを有し、係止部材６の後端部が可動ピン５に係合することにより、駆動部材１４の駆動力によって本体部２ｂを上昇方向へ移動させ得る構成であるため、上記したように、温度に対応して換気部材１の開角度を制御できる。また、本実施例のように、駆動部材１４として、温度に対応して体積が変化する駆動材料を用いたアクチュエータを採用することにより、電気を必要とせず、また、電動の場合のように制御盤も不要であるため、設置コスト及びランニングコストを低減させることができる。さらに、電源確保のために設置場所を制限されることもないので、設置場所選定の自由度が高い。
【００２７】
上記した自動運転時における換気部材１の全閉状態では、駆動部材１４の駆動力によって換気部材１を開動作させるために、換気部材１の自由端１ｂがいずれにも固定されていない（図４参照）。したがって、換気部材１が風圧等を受けると、換気部材１の自由端１ｂ側が振動し、窓枠と衝突して異音を生じ易くなる。かかる問題を解決するため、本実施例では、まず、自動運転を解除し、手動運転に切り換える。この切換操作は、以下の手順で行われる。すなわち、まず、第１線状部材１２を引っ張り、第１線状部材１２の一端が連結された可動部材９を本体部２ｂ内で上昇方向へ移動させる。このとき、可動部材９は、押しばね１１を圧縮しながら移動する。これにより、ガイドピン７が通路１０の第１領域１０ａから脱出し、第２領域１０ｂに位置することになる（図３参照）。次に、この状態で、第２線状部材１５を引っ張り、第２線状部材１５の一端が連結された係止部材６を一方向へ回転させる（図７参照）。図３に示したように、通路１０の第２領域１０ｂ内では、ガイドピン７が移動可能であるため、上記のように係止部材６の一方向（時計回り方向）への回転が許容される。係止部材６を一方向へ回転させることにより、係止部材６の後端部が可動ピン５に接触しない位置に配置される（図７参照）。これにより、自動運転が解除され、手動運転に切り換わる。なお、このとき係止部材６は、戻しばね８の作用により、回転前の状態に復帰しようとするため、これを阻止するために、第２線状部材１５を引っ張り続けてもよい。しかし、それでは負担になるので、本実施例では、第１線状部材１２の引っ張りを緩めて、可動部材９を下降方向へ移動させ、ガイドピン７を通路１０の第３領域１０ｃに進入させる（図８参照）。これにより、第２線状部材１５を引っ張り続けなくても、係止部材６の逆方向（反時計回り方向）への回転が阻止され、係止部材６の回動が停止することになる。手動運転に切り換えたならば、可動部材９は、押しばね１１の付勢力によって下降方向へ移動し、図８に示したように、可動部材９に設けた結合部９ａが換気部材１の自由端１ｂに設けた係止部１ｃに結合する。これにより、換気部材１の自由端１ｂが固定されるため、換気部材１が風圧等を受けた場合でも、換気部材１の自由端１ｂ側の振動が抑制され、異音が生じ難くなる。
【００２８】
本実施例に係る温室用換気装置は、可動部材９に、換気部材１の自由端１ｂに設けた係止部１ｃに取り外し可能に結合し得る結合部９ａが設けられた構成であるため、上記のように、全閉状態の換気部材１が風圧等を受けた場合でも、換気部材１の自由端１ｂ側の振動を抑制し、異音の発生を防ぐことができる。また、本実施例に係る温室用換気装置は、可動部材９に形成される通路１０が、第２領域１０ｂと連通し、ガイドピン７がはまり込むことにより一方向へ回転した係止部材６の逆方向への回転を阻止し、係止部材６の回動を停止させ得る第３領域１０ｃを有する構成であるため、上記のように、切換操作の負担を軽減させることができる。また、本実施例に係る温室用換気装置は、係止部材６に連結され、引っ張ることにより、係止部材６を一方向へ回転させ、第１領域１０ａから脱出したガイドピン７を第２領域１０ｂ内で回動させ得る第２線状部材１５を有する構成であるため、上記したように、換気部材１の自由端１ｂを手動により固定する操作が可能になる。また、本実施例に係る温室用換気装置は、可動部材９を上昇方向へ移動させるために必要な引っ張り力を減少させ得るように、第１線状部材１２が掛けられる滑車１３が設けられた構成であるため、小さな力で可動部材９を上昇動作させることができ、操作負担を軽減させることができる。
【００２９】
自動運転時において、開放された換気部材１が突風を受けることにより、換気部材１の開角度が増すと、それに伴って本体部２ｂが上昇方向へ移動することになる。このように意図しない作動機構２の動作によって、係止部材６の後端部がロックピン３に当接した状態で本体部２ｂが上昇方向へ移動しようとする場合、本実施例によれば、押しばね１１の付勢力により可動部材９の上昇方向への移動が抑制されるとともに、図９に示したように、可動部材９に形成された通路１０の第１領域１０ａに係止部材６の前端部に設けられたガイドピン７がはまり込んでいるため、係止部材６の一方向（図９において、時計回り方向）への回転が阻止される。その結果、係止部材６の後端部がロックピン３を乗り越えられず、係止部材６の後端部がロックピン３に係合できない。したがって、意図しない作動機構２の動作によって一定の開角度で換気部材１の開放状態が保持されるという誤動作を確実に防止することができる。
【００３０】
一方、本実施例によれば、自動運転を解除して手動運転により、一定の角度で換気部材１の開放状態を保持することができる。この操作は、以下の手順で行われる。すなわち、まず、第１線状部材１２を引っ張り、可動部材９を上昇方向へ移動させ、ガイドピン７を通路１０の第１領域１０ａから脱出させる（図１０参照）。次に、この状態で、図１１に示したように、係止部材６の後端部がロックピン３に当接したならば、第１線状部材１２をさらに引っ張り、可動部材９をさらに上昇方向へ移動させて本体部２ｂに当接させ、この状態で、可動部材９をさらに上昇方向へ移動させることにより、本体部２ｂを上昇方向へ移動させる（図１２参照）。このとき、係止部材６は、後端部上部がロックピン３に当接した状態で本体部２ｂが上昇方向へ移動するため、一方向へ回転することになる（図１２参照）。また、ガイドピン７は、通路１０の第２領域１０ｂ内で係止部材６の回転に伴って回動する（図１２参照）。これにより、係止部材６の後端部がロックピン３を乗り越えることが可能になる（図１３参照）。係止部材６の後端部がロックピン３を乗り越えた後は、戻しばね８の作用により、係止部材６が回転前の状態に復帰して、係止部材６の後端部がロックピン３に係合する。その結果、図１４に示したように、一定の開角度で換気部材１の開放状態が保持されることになる。
【図面の簡単な説明】
【００３１】
【図１】本発明の一実施例に係る温室用換気装置を示す図である。
【図２】本体部の内部構造を示す図である。
【図３】温室用換気装置の一部分を示す図である。
【図４】自動運転時において、換気部材が全閉した状態を示す図である。
【図５】自動運転時において、換気部材が開放された状態を示す図である。
【図６】自動運転時における換気部材の全開状態を示す図である。
【図７】第２線状部材の作用を説明するための図である。
【図８】可動部材の結合部が換気部材の係止部に結合した状態を示す図である。
【図９】温室用換気装置の作用を説明するための図である。
【図１０】温室用換気装置の作用を説明するための図である。
【図１１】温室用換気装置の作用を説明するための図である。
【図１２】温室用換気装置の作用を説明するための図である。
【図１３】温室用換気装置の作用を説明するための図である。
【図１４】温室用換気装置の作用を説明するための図である。
【図１５】従来の温室用換気装置を示す図である。
【符号の説明】
【００３２】
１  換気部材
１ａ  基端部
１ｂ  自由端
１ｃ  係止部
２  作動機構
２ａ  ガイド部材
２ｂ  本体部
２ｃ  リンク機構
２ｄ  ガイドレール
２ｅ  支持軸
２ｆ  ストッパ
２ｇ〜２ｊ  アーム
２ｋ  ガイドバー
３  ロックピン
４  長孔
５  可動ピン
６  係止部材
７  ガイドピン
８  戻しばね
９  可動部材
９ａ  結合部
１０  通路
１０ａ  第１領域
１０ｂ  第２領域
１０ｃ  第３領域
１１  押しばね
１２  第１線状部材
１３  滑車
１４  駆動部材
１４ａ  シリンダ
１４ｂ  ピストンロッド
１４ｃ  弾性部材
１５  第２線状部材
【図１】
2008118893.tif 000003
【図２】
2008118893.tif 000004
【図３】
2008118893.tif 000005
【図４】
2008118893.tif 000006
【図５】
2008118893.tif 000007
【図６】
2008118893.tif 000008
【図７】
2008118893.tif 000009
【図８】
2008118893.tif 000010
【図９】
2008118893.tif 000011
【図１０】
2008118893.tif 000012
【図１１】
2008118893.tif 000013
【図１２】
2008118893.tif 000014
【図１３】
2008118893.tif 000015
【図１４】
2008118893.tif 000016
【図１５】
2008118893.tif 000017